(57)【要約】      （修正有）【課題】引き裂きによって比較的容易に開封でき、且つ開封口を比較的容易に広げることができる包装袋を提供すること。【解決手段】対向する２枚のシート材１Ａ，１Ｂを備え、各シート材１Ａ，１Ｂの端部同士が互いに接合されて内容物を密閉するように形成され、各シート材１Ａ，１Ｂの一端から他端に延びる引き裂き予定線Ｘに沿って両シート材を引き裂くことにより開封される包装袋１０であって、各シート材１Ａ，１Ｂのそれぞれは、前記引き裂き予定線Ｘと、該引き裂き予定線Ｘに並行するようにその両側に配されたそれぞれ１以上の引き裂き予定補助線Ｙとを有し、一方のシート材１Ａの前記引き裂き予定線Ｘは、少なくとも一部が屈曲しており、各シート材１Ａ，１Ｂは、前記屈曲により、引き裂き後に形成される開口縁形状が互いに異なるように形成されている。【選択図】図１
2013071733.tif 000002
【特許請求の範囲】
【請求項１】
対向する２枚のシート材を備え、各シート材の端部同士が互いに接合されて内容物を密閉するように形成され、各シート材の一端から他端に延びる引き裂き予定線に沿って両シート材を引き裂くことにより開封される包装袋であって、
各シート材のそれぞれは、前記引き裂き予定線と、該引き裂き予定線に並行するようにその両側に配されたそれぞれ１以上の引き裂き予定補助線とを有し、
一方のシート材の前記引き裂き予定線は、少なくとも一部が屈曲しており、
各シート材は、前記屈曲により、引き裂き後に形成される開口縁形状が互いに異なるように形成されていることを特徴とする包装袋。
【請求項２】
前記一方のシート材の前記引き裂き予定線は、少なくとも一部が屈曲して引き裂き後に開口縁の一部が外方へ向けて突出するように形成されている請求項１記載の包装袋。
【請求項３】
引き裂き後に形成される前記一方のシート材の開口縁の少なくとも一部が、引き裂き後に形成される前記他方のシート材の開口縁より外側に配されるように構成されている請求項１又は２記載の包装袋。
【発明の詳細な説明】
【技術分野】
【０００１】
本発明は、包装袋に関する。具体的には、例えば、対向する２枚のシート材を備え、各シート材の端部同士が互いに接合されて内容物を密閉するように形成され、各シート材の一端から他端に延びる引き裂き予定線に沿って両シート材を引き裂くことにより開封される包装袋に関する。
【背景技術】
【０００２】
従来、この種の包装袋としては、例えば、各シート材がそれぞれ１本の屈曲する引き裂き予定線を有し、引き裂き後に該引き裂き予定線に沿って開口縁が形成され、それぞれの開口縁形状が異なるように構成されたものが知られている（特許文献１）。
【０００３】
斯かる包装袋においては、引き裂き後において形成された開口縁形状が異なるように構成されていることから、各シート材に形成された開口縁が互いに重なり合わないため、それぞれの開口縁を容易に指でつまむことができ、一方のシート材と他方のシート材とを比較的容易に引き離し、開封口を広げ内容物を出しやすくすることができる。
【０００４】
しかしながら、斯かる包装袋は、各シート材における１本の引き裂き予定線が屈曲しているため、引き裂き力を一方向に向けて与えると、引き裂き中に、引き裂き力を与える向きと引き裂き予定線の向きとが一致しなくなることから、引き裂き予定線に沿わずに引き裂きが進行し得る。即ち、所定形状に形成された引き裂き予定線から外れて引き裂きが起こり、形状の異なる開口縁を形成させることが比較的困難であるという問題がある。また、形状の異なる開口縁を形成させるべく屈曲した引き裂き予定線に沿って引き裂くためには、引き裂きの各時点における引き裂き予定線の向きに応じて、引き裂き力の向きを変えること等を要することから、開封時に困難を伴うという問題がある。
【先行技術文献】
【特許文献】
【０００５】
【特許文献１】実用新案登録第３１５６４５９号公報
【発明の概要】
【発明が解決しようとする課題】
【０００６】
本発明は、上記の問題点等に鑑み、引き裂きによって比較的容易に開封でき、且つ開封口を比較的容易に広げることができる包装袋を提供することを課題とする。
【課題を解決するための手段】
【０００７】
本発明に係る包装袋は、対向する２枚のシート材を備え、各シート材の端部同士が互いに接合されて内容物を密閉するように形成され、各シート材の一端から他端に延びる引き裂き予定線に沿って両シート材を引き裂くことにより開封される包装袋であって、
各シート材のそれぞれは、前記引き裂き予定線と、該引き裂き予定線に並行するようにその両側に配されたそれぞれ１以上の引き裂き予定補助線とを有し、
一方のシート材の前記引き裂き予定線は、少なくとも一部が屈曲しており、
各シート材は、前記屈曲により、引き裂き後に形成される開口縁形状が互いに異なるように形成されていること特徴としている。
【０００８】
本発明に係る包装袋においては、各シート材のそれぞれに１本の引き裂き予定線と少なくとも２本の引き裂き予定補助線とがある。従って、前記引き裂き予定線上でシート材を切断し始め、仮に切断が該予定線から外れたとしても、隣り合う前記引き裂き予定補助線があるため、前記引き裂き予定補助線にて切断が続行される。
また、前記引き裂き予定線の少なくとも一部が屈曲しているため、斯かる引き裂き予定線の向きは、一定でなく、引き裂き中において、通常一定方向である引き裂きの向きと一致しなくなり得る。そして、斯かる引き裂き予定線の向きと引き裂きの向きとが一致しなくなると、引き裂きが引き裂き予定線から外れて進行し得る。
それにも関わらず、前記包装袋においては、上述したように前記引き裂き予定線の両側にそれぞれ少なくとも１本の引き裂き予定補助線を有しているため、引き裂きが引き裂き予定線から外れても隣の引き裂き予定補助線にて続行され、確実にシート材を前記引き裂き予定線に沿って切断できる。
また、一方のシート材の前記引き裂き予定線は、少なくとも一部が屈曲しており、各シート材は、前記屈曲により、引き裂き後に形成される開口縁形状がそれぞれ異なるように形成されているため、各シート材から形成された開口縁が互いに重なり合わない。従って、引き裂き後において、それぞれの開口縁をつまんで一方及び他方のシート材を引き離すことにより、開封により生じた開口を比較的容易に広げることができる。
【０００９】
本発明に係る包装袋においては、前記一方のシート材の前記引き裂き予定線は、少なくとも一部が屈曲して引き裂き後に開口縁の一部が外方へ向けて突出するように形成されていることが好ましい。
【００１０】
本発明に係る包装袋は、引き裂き後に形成される前記一方のシート材の開口縁の少なくとも一部が、引き裂き後に形成される前記他方のシート材の開口縁より外側に配されるように構成されていることが好ましい。
【発明の効果】
【００１１】
本発明の包装袋は、引き裂きによって比較的容易に開封でき、且つ開封口を比較的容易に広げることができるという効果を奏する。
【図面の簡単な説明】
【００１２】
【図１】包装袋の正面図。
【図２】包装袋の断面図。
【図３】包装袋を開封した後における様子の一例を表す図。
【図４】包装袋の変形例の正面図。
【図５】一方のシート材における引き裂き予定領域の詳細を表す図。
【発明を実施するための形態】
【００１３】
以下、本発明に係る包装袋の実施形態について、図面を参照しつつ詳しく説明する。図１は、本実施形態の包装袋の正面図であり、図２は、図１におけるＺ−Ｚ線における断面図である。
【００１４】
本実施形態の包装袋１０は、対向する２枚のシート材１Ａ、１Ｂを備え、各シート材１Ａ、１Ｂの端部同士が互いに接合されて内容物を密閉するように形成され、各シート材１Ａ、１Ｂの一端から他端に延びる引き裂き予定線Ｘに沿って両シート材１Ａ、１Ｂを引き裂くことにより開封される包装袋であって、
各シート材１Ａ、１Ｂのそれぞれは、前記引き裂き予定線Ｘと、該引き裂き予定線Ｘに並行するようにその両側に配されたそれぞれ１以上の引き裂き予定補助線Ｙとを有し、
一方のシート材の前記引き裂き予定線Ｘは、少なくとも一部が屈曲しており、
各シート材は、前記屈曲により、引き裂き後に形成される開口縁形状が互いに異なるように形成されているものである。
【００１５】
好ましくは、前記包装袋１０においては、前記一方のシート材１Ａの前記引き裂き予定線Ｘは、少なくとも一部が屈曲して引き裂き後に開口縁の一部が外方へ向けて突出するように形成されている。また、前記包装袋１０は、引き裂き後に形成される前記一方のシート材１Ａの開口縁の少なくとも一部が、引き裂き後に形成される前記他方のシート材１Ｂの開口縁より外側に配されるように構成されている。
【００１６】
前記包装袋１０は、図１及び図４に示すように、通常、矩形状に形成されている。なお、前記包装袋１０は、必ずしも矩形状に形成されていなくてもよく、例えば、楕円形状、多角形状などに形成されていてもよい。
【００１７】
前記包装袋１０においては、前記一方のシート材１Ａ及び他方のシート材１Ｂが、通常、同一の形状且つ同一の大きさに形成されている。具体的には、前記一方のシート材１Ａ及び他方のシート材１Ｂが、例えば図１に示すように同サイズの矩形状に形成されている。
【００１８】
前記包装袋１０は、図２に示すように、前記一方のシート材１Ａ及び他方のシート材１Ｂが対向するように各シート材を備え、各シート材の端部が互いに接合されていることにより、密閉された袋状に形成されている。図１、図３、図４においては、一方のシート材１Ａが奥側に、他方のシート材１Ｂが手前側に配されている。
【００１９】
前記一方のシート材１Ａ及び他方のシート材１Ｂの接合方法としては、その方法が特に限定されるものではなく、ヒートシール、接着剤による接着などが採用される。前記包装袋１０は、図１に示すように、前記一方のシート材１Ａ及び他方のシート材１Ｂの周縁部同士が互いにヒートシールされたヒートシール部５を周縁部分に備えていてもよい。
なお、各シート材は、１枚のシート原反が折りたたまれることにより２枚のシート材の端縁同士が互いに接合された態様であってもよい。
【００２０】
前記シート材１Ａ、１Ｂは、材質が特に限定されるものではなく、該材質としては、例えば、アルミニウムなどの金属、ポリエステル樹脂などのプラスチックなどが挙げられる。
【００２１】
前記シート材１Ａ、１Ｂは、通常、複数のフィルムが積層されたラミネートシート材である。各シート材は、１種の材質のフィルムが積層されて構成されたものであってもよく、また、複数種の材質の各フィルムが積層されて構成されたものであってもよい。
ラミネートの方法としては、押し出しラミネート、ドライラミネート等が挙げられる。また、積層されるフィルムとしては、最表面に配されるベースフィルム、ヒートシールされるべく最内面に配されるシーラントフィルム、ベースフィルムとシーラントフィルムとの間に配され、酸素、水蒸気、光などを遮断するバリヤー性サンドフィルムなどが挙げられる。
より具体的には、前記シート材１Ａ、１Ｂを構成し得るものとしては、二軸延伸ナイロンフィルム、直鎖状低密度ポリエチレンフィルム、高密度ポリエチレンフィルム、低密度ポリエチレンフィルム、ポリプロピレンフィルム、二軸延伸ポリエチレンテレフタレートフィルム、エチレン−酢酸ビニル共重合体ケン化物フィルム、無延伸ポリプロピレンフィルムなどが挙げられる。
【００２２】
前記各シート材１Ａ、１Ｂのそれぞれには、図１に示すように、前記シート材の一端から他端に延びる前記引き裂き予定線Ｘが形成されている。また、該引き裂き予定線Ｘの両側に並行するように配されたそれぞれ１以上の引き裂き予定補助線Ｙが形成されている。
【００２３】
各シート材１Ａ、１Ｂは、最も離れ合った前記引き裂き予定補助線Ｙの間に形成された帯状の引き裂き予定領域３Ａ、３Ｂをそれぞれ有する。なお、最も離れ合った前記引き裂き予定補助線Ｙの間には、前記引き裂き予定線Ｘが配されている。
また、各シート材１Ａ、１Ｂは、前記引き裂き予定領域３Ａ、３Ｂに対して一方側に配され内容物を覆うシート本体２Ａ、２Ｂと、前記引き裂き予定領域３Ａ、３Ｂに対して前記シート本体２Ａ、２Ｂの反対側に配され引き裂き時に切り取られる切除部４Ａ、４Ｂとをそれぞれ有する。
【００２４】
前記引き裂き予定領域３Ａ、３Ｂにおいては、幅方向における両端にそれぞれ引き裂き予定補助線Ｙが配され、該両端に配された予定補助線Ｙの間に１本の引き裂き予定線Ｘが配されている。即ち、引き裂き予定領域３Ａ、３Ｂには、１本の引き裂き予定線Ｘと少なくとも２本の引き裂き予定補助線Ｙが並行するように形成されている。
【００２５】
前記引き裂き予定領域３Ａ、３Ｂは、図１に示すように、矩形状のシート材の対向する端縁の一方を水平方向に、他方を垂直方向に配した状態において、略水平方向に沿って形成されていることが好ましい。
【００２６】
前記引き裂き予定領域３Ａ、３Ｂにおける引き裂き予定線Ｘ及び引き裂き予定補助線Ｙの合計本数は、特に限定されないが、引き裂き予定領域３Ａ、３Ｂにおいてより確実にシート材を切断できるという点で、３〜７本が好ましく、３〜５本がより好ましい。
【００２７】
前記引き裂き予定領域３Ａ、３Ｂは、通常、長手方向の一端から他端まで略同じ幅となるように形成されている。
前記引き裂き予定領域３Ａ、３Ｂは、幅方向の長さ（Ｗ）が特に限定されず、通常、０．５〜２．５ｍｍである。前記引き裂き予定領域３Ａ、３Ｂは、シート材に占める面積比が比較的小さくとも引き裂きによってシート材をより確実に切断できるという点で、幅方向の長さ（Ｗ）が０．８〜２．０ｍｍであることが好ましく、１．２〜１．８ｍｍであることがより好ましい。
なお、引き裂き予定領域３Ａ、３Ｂの幅方向長さ（Ｗ）の基準となるものは、太さ（ｄ）を有する引き裂き予定補助線Ｙの中心線、即ち、引き裂き予定補助線Ｙの幅方向の中心を通る仮想中心線である。
【００２８】
前記引き裂き予定領域３Ａ、３Ｂにおいては、通常、隣り合う引き裂き予定線Ｘ及び引き裂き予定補助線Ｙが同じ間隔をあけて配されている。
前記引き裂き予定領域３Ａ、３Ｂにおける斯かる線Ｘ、Ｙの間隔（Ｉ）は、通常、０．２０〜０．５０ｍｍであり、引き裂き予定領域３Ａ、３Ｂにおいてより確実にシート材を切断できるという点で、０．２５〜０．４５ｍｍが好ましく、０．３０〜０．４０ｍｍがより好ましい。
なお、前記間隔（Ｉ）の基準となるものは、太さ（ｄ）を有する引き裂き予定線Ｘ又は引き裂き予定補助線Ｙの幅方向の中心を通る仮想中心線である。
【００２９】
前記引き裂き予定線Ｘ及び前記引き裂き予定補助線Ｙは、シート材を引き裂くことができるようにシート材の強度を弱めてシート材の切断を誘導するものである。斯かる線Ｘ、Ｙは、連続線であってもよく、ミシン目のように不連続線であってもよい。
【００３０】
前記引き裂き予定線Ｘ及び前記引き裂き予定補助線Ｙは、例えば、レーザー光線によるハーフカット加工、カッターによるハーフカット加工などにより形成される。斯かる線Ｘ、Ｙとしては、微細なハーフカット加工が比較的容易にできるという点で、レーザー光線によって形成されたものが好ましい。
【００３１】
前記引き裂き予定線Ｘ及び前記引き裂き予定補助線Ｙの太さ（ｄ）は、通常、０．０５〜０．３０ｍｍであり、０．１０〜０．２０ｍｍであることが好ましく、０．１５〜０．２０ｍｍであることがより好ましい。
【００３２】
前記一方のシート材１Ａの前記引き裂き予定線Ｘは、図１に示すように、引き裂き後に開口縁の一部が前記切除部４Ａ側へ向けて突出するように屈曲して形成されている。即ち、引き裂き後に前記切除部４Ａ側へ向けて突出する突出部２Ａａが前記シート本体２Ａに形成されるように、前記切除部４Ａ側に突出する曲線状に形成されている。
【００３３】
前記一方のシート材１Ａの前記引き裂き予定線Ｘは、引き裂きがより容易に行えるという点で、引き裂き後に１つの前記突出部２Ａａが前記シート本体２Ａに形成されるように、シート材１Ａに形成されていることが好ましい。即ち、前記引き裂き予定線Ｘは、図１に示すように、前記切除部４Ａ側へ向けて曲線状に１回突出するように形成されていることが好ましい。
また、前記一方のシート材１Ａの前記引き裂き予定線Ｘは、引き裂き後に開封された開封口を広げるために摘む部分がより多くなるという点で、複数の前記突出部２Ａａが前記シート本体２Ａに形成されるように、シート材１Ａに形成されていることが好ましい。即ち、前記引き裂き予定線Ｘは、図４（ａ）に示すように、前記切除部４Ａ側へ向けて曲線状に複数回突出するように形成されていることが好ましい。
【００３４】
前記一方のシート材１Ａの引き裂き予定線Ｘは、好ましくは図１に示すように、最も突出した頂部を通る直線に対して線対称形状に形成されている。詳しくは、長手方向の両端同士を結ぶ直線線分の中点から該線分に対して垂直に延びる直線に対し線対称形状となり、且つ該直線上に前記直線線分から最も離れた頂部が位置するように形成されている。
【００３５】
前記一方のシート材１Ａにおいて上記のごとき線対称形状に形成された引き裂き予定線Ｘにおいては、長手方向の長さ（Ｌ）は、図５に示すように、長手方向の両端を直線で結んだ最短長さ、即ち、両端を結ぶ直線線分の長さである。
該長手方向の長さ（Ｌ）は、通常、５０〜５００ｍｍである。
【００３６】
前記線対称形状に形成された引き裂き予定線Ｘにおいては、突出高さ（ｈ）は、図５に示すように、引き裂き予定線Ｘの両端を結ぶ直線線分から引き裂き予定線Ｘが最も離れた頂部と前記直線線分との間の最短距離である。
該突出高さ（ｈ）は、通常、２．５〜７５ｍｍであり、好ましくは３〜２０ｍｍであり、より好ましくは５〜１１ｍｍである。
【００３７】
前記長手方向の長さ（Ｌ）に対する前記突出高さ（ｈ）の比（ｈ／Ｌ）は、引き裂き予定領域３Ａにおいてより確実にシート材を切断できるという点で、０．０５〜０．１５が好ましく、０．０５〜０．１１がより好ましい。
【００３８】
前記一方のシート材１Ａにおいて上記のごとき線対称形状に形成された引き裂き予定線Ｘは、好ましくは図５（ａ）に示すように、長手方向の中心点から長手方向の一端へ向かって延び切除部４Ａ側へ凸状に曲がった円弧状の第１円弧部分（Ｒ１）と、さらに第１円弧曲線部の端縁から引き裂き予定線Ｘの長手方向の一端へ向かって延びシート本体側へ凸状に曲がった円弧状の第２円弧部分（Ｒ２）と、さらに第２円弧部分の端縁から引き裂き予定線Ｘの長手方向の一端へ向かって延び引き裂き予定線Ｘの長手方向端縁へ向かって延びた直線部分（Ｒ３）とを有する形状となっている。第１円弧部分（Ｒ１）と第２円弧部分（Ｒ２）との接点は、引き裂き予定線Ｘの変曲点になっている。
第１円弧部分（Ｒ１）の長手方向長さ（Ｌ１）は、図５に示すように、引き裂き予定線Ｘの両端を結ぶ直線線分の延在方向における第１円弧部分（Ｒ１）の長さである。
第２円弧部分（Ｒ２）の長手方向長さ（Ｌ２）は、図５に示すように、引き裂き予定線Ｘの両端を結ぶ直線線分の延在方向における第２円弧部分（Ｒ２）の長さである。
第１円弧部分（Ｒ１）の幅方向長さ（ｈ１）は、図５に示すように、引き裂き予定線Ｘの両端を結ぶ直線線分に垂直な方向における第１円弧部分（Ｒ１）の長さである。
第２円弧部分（Ｒ２）の幅方向長さ（ｈ２）は、図５に示すように、引き裂き予定線Ｘの両端を結ぶ直線線分に垂直な方向における第２円弧部分（Ｒ２）の長さである。
なお、上述したように、前記一方のシート材１Ａの引き裂き予定線Ｘが線対称形状であることから、第１円弧部分（Ｒ１）の長手方向長さ（Ｌ１）と、第２円弧部分（Ｒ２）の長手方向長さ（Ｌ２）と、前記直線部分（Ｒ３）との合計長さの２倍が引き裂き予定線Ｘの前記長手方向の長さ（Ｌ）となる。
【００３９】
第１円弧部分（Ｒ１）及び第２円弧部分（Ｒ２）の曲率半径は、引き裂き予定領域３Ａにおいてより確実にシート材を切断できるという点で、それぞれ３８〜８２ｍｍであることが好ましい。
また、第２円弧部分（Ｒ２）の曲率半径に対する第１円弧部分（Ｒ１）の曲率半径の比は、引き裂き予定領域３Ａにおいてより確実にシート材を切断できるという点で、０．９５〜１．０５であることが好ましく、１であることがより好ましい。
【００４０】
第２円弧部分（Ｒ２）の長手方向長さ（Ｌ２）に対する第１円弧部分（Ｒ１）の長手方向長さ（Ｌ１）の比（Ｌ１／Ｌ２）は、引き裂き予定領域３Ａにおいてより確実にシート材を切断できるという点で、０．３〜１．０であることが好ましく、１であることがより好ましい。
【００４１】
第２円弧部分（Ｒ２）の幅方向長さ（ｈ２）に対する第１円弧部分（Ｒ１）の幅方向長さ（ｈ１）の比（ｈ１／ｈ２）は、引き裂き予定領域３Ａにおいてより確実にシート材を切断できるという点で、１．０〜２．５であることが好ましく、１であることが好ましい。
【００４２】
前記一方のシート材１Ａの引き裂き予定領域３Ａは、少なくとも一部が前記他方のシート材１Ｂの引き裂き予定領域３Ｂより前記切除部４Ａ側に配されている。
斯かる構成によれば、引き裂き後に前記突出部２Ａａの一部が他方のシート本体２Ｂに重なり合うことなく露出することから、斯かる部分を摘んで開封後の開封口を比較的容易に広げることができる。
【００４３】
前記一方のシート材１Ａの引き裂き予定領域３Ａが、引き裂き後に複数の前記突出部２Ａａが形成されるように構成されている場合には、図４（ａ）に示すように、引き裂き後における一方のシート材の開口縁が、他方のシート本体２Ｂの開口縁より前記切除部側に配されるように、前記一方のシート材１Ａの引き裂き予定領域３Ａが前記他方のシート材１Ｂの引き裂き予定領域３Ｂより前記切除部側に配されていることが好ましい。
【００４４】
また、前記一方のシート材１Ａの引き裂き予定領域３Ａ及び前記他方のシート材１Ｂの引き裂き予定領域３Ｂは、それぞれ長手方向の両端にて互いに重なり合っている。
斯かる構成によれば、引き裂き予定領域３Ａ、３Ｂにおける長手方向のいずれか一方の端縁から、両シート材を同時に引き裂き始めることができ、比較的容易に包装袋１０を開封することができる。
【００４５】
前記一方のシート材１Ａ及び前記他方のシート材１Ｂの引き裂き予定領域３Ａ、３Ｂにおける重なり合った端部の少なくとも一方には、引き裂きの開始がより容易になるという点で、図１に示すように切り込み６（ノッチ）が形成されていることが好ましい。該切り込み６（ノッチ）は、前記引き裂き予定領域３Ａ、３Ｂの端部の少なくとも一方に形成され、引き裂き予定領域３Ａ、３Ｂの端部における引き裂き予定線Ｘから引き裂きが始まるように形成されていることが好ましい。
上述のごとく切り込み６（ノッチ）が形成されていることにより、前記一方のシート材１Ａ及び前記他方のシート材１Ｂの前記引き裂き予定線Ｘの一端から切り裂きが始まり、両シート材１Ａ、１Ｂを同時に引き裂くことができ、より確実に引き裂き予定領域３Ａ、３Ｂにおいて引き裂きを行うことができ、より確実に前記突出部２Ａａを形成できるという利点がある。
【００４６】
前記他方のシート材１Ｂにおいては、図１に示すように、前記引き裂き予定線Ｘが直線状に形成されていてもよい。これに伴い、前記引き裂き予定領域３Ｂが、直線状に形成されていてもよい。
また、前記他方のシート材１Ｂにおいては、前記引き裂き予定線Ｘが、図４（ｂ）に示すように、引き裂き後に開口縁形状が凹状に湾曲した形状になるように、曲線状に形成されていてもよい。これに伴い、前記引き裂き予定領域３Ｂが、同様な曲線状に形成されていてもよい。
また、前記他方のシート材１Ｂにおいては、前記引き裂き予定線Ｘが、図４（ｃ）に示すように、切除部４Ｂ側に向けて突出する曲線状に形成され、且つ、引き裂き後の開口縁が一方のシート材の開口縁よりシート本体２Ｂ側に配されるように形成されていてもよい。即ち、前記引き裂き予定線Ｘの最も突出した頂部が、一方のシート材１Ａの引き裂き予定線Ｘの最も突出した頂部より、シート本体２Ｂ側に配されていてもよい。
【００４７】
前記一方のシート材１Ａの切除部４Ａは、前記引き裂き予定領域３Ａに対してシート本体２Ａの反対側に配されている。
また、前記他方のシート材１Ｂの切除部４Ｂも、同様に前記引き裂き予定領域３Ｂに対してシート本体２Ｂの反対側に配されている。
前記一方のシート材１Ａの切除部４Ａと前記他方のシート材１Ｂの切除部４Ｂとは、通常、重なり合っている。
【００４８】
前記一方のシート材１Ａのシート本体２Ａと前記他方のシート材１Ｂのシート本体２Ｂとは、互いに対向するように配されている。また、両シート材１Ａ、１Ｂの間には、包装される内容物が配される。
【００４９】
各シート本体２Ａ、２Ｂは、引き裂きによる包装袋１０の開封後においても内容物を密封できるように、図１に示すように、引き裂き予定領域３Ａ、３Ｂの長手方向と同方向に延在し線状に形成されたプラスチックファスナー７を内面側に備えていてもよい。
【００５０】
前記包装袋１０は、例えば、内容物が包装され、開封まで内容物が密閉され、使用時にシート材が帯状の引き裂き予定領域３Ａ、３Ｂにて引き裂かれて開封されて使用される。
【００５１】
前記包装袋１０によって包装される内容物は、特に限定されず、該内容物としては、例えば、塊状や粉状の固形物、液状物、ゲル状物などが挙げられる。また、内容物は、具体的には例えば、医薬品、化粧品、食料品、トイレタリー製品等の用途において使用される。
【００５２】
なお、前記包装袋１０を使用するときは、例えば、両方の切除部４Ａ、４Ｂを指で摘まみ、重なり合った引き裂き予定領域３Ａ、３Ｂのいずれか一方の端部から引き裂きを始めるべく、通常、シート本体２Ａ、２Ｂに対して引き裂き力を与えるように引っ張る。
切除部４Ａ、４Ｂを引っ張るときには、引っ張り方向が特に限定されないが、引き裂き後において突出部２Ａａをより確実に形成できるという点で、引っ張り方向が引き裂き予定線Ｘの両端を結ぶ直線に沿った方向であり、且つ、他方のシート材１Ｂ側（図１における手前側）に向けた方向であることが好ましい。
【００５３】
上述のごとき突出する曲線状の引き裂き予定線Ｘが形成されたシート材を備えた包装袋１０に対して、前記切除部４Ａ、４Ｂを引っ張り、包装袋１０を引き裂くことにより、図３に示すように、前記一方のシート本体２Ａに突出部２Ａａが形成される。該突出部２Ａａと、他方のシート本体２Ｂに形成された引き裂き後の開口縁とをつまんで両シート本体２Ａ、２Ｂを引き離すことにより、開封後の開口を容易に広げることができる。
【００５４】
本実施形態の包装袋１０は、上記例示の通りであるが、本発明は、上記例示の包装袋１０に限定されるものではない。
また、一般の包装袋において用いられる種々の態様を、本発明の効果を損ねない範囲において採用することができる。
【実施例】
【００５５】
次に実施例を挙げて本発明をさらに詳しく説明するが、本発明はこれらに限定されるものではない。
【００５６】
引き裂きによってシート材が所定形状になるか否かを評価すべく、以下のようにして、包装袋を製造し、その後、包装袋を引き裂き、引き裂き後の形状を評価した。
【００５７】
（試験例１）
シート材として、以下の各フィルム等が積層されたものを用いた。
二軸延伸ポリエチレンテレフタレートフィルム（ＰＥＴ）１２μｍ厚み
ドライラミネート（ＤＬ）
アルミニウム箔（ＡＬ）９μｍ厚み
ドライラミネート（ＤＬ）
二軸延伸ポリエチレンテレフタレートフィルム（ＰＥＴ）１２μｍ厚み
ドライラミネート（ＤＬ）
直鎖状低密度ポリエチレン（ＬＬＤＰＥ）４０μｍ厚み
上記のシート材２枚を１０×１３ｃｍの大きさに切断し、ＬＬＤＰＥが内面側となるように各シート材を重ね合わせて配置し、周辺部を１ｃｍの幅でヒートシールし、包装袋を作製した。包装袋は１３個作製した。
続いて、引き裂き予定線及び引き裂き予定補助線をレーザー光線によるハーフカット加工によって形成し、それにより、各シート材の引き裂き予定領域をそれぞれ作製した。
【００５８】
一方のシート材の引き裂き予定線は、図５に示すように、長手方向の両端同士を結ぶ直線線分の中点から該線分に対して垂直に延びる直線に対し線対称形状となり、且つ該直線上に前記直線線分から最も離れた頂部が位置するように形成されている。また、引き裂き後に開口縁の一部が切除部側へ向けて突出するように形成されている。即ち、引き裂き後にシート本体から外方へ向けて突出する１つの突出部が形成されるようにシート材に配されている。
【００５９】
一方のシート材の引き裂き予定線の長手方向の長さ（Ｌ）は、図５に示すように、引き裂き予定線の長手方向の両端を直線で結んだ最短長さ、即ち、両端を結ぶ直線線分の長さである。
【００６０】
一方のシート材の引き裂き予定線の突出高さ（ｈ）は、図５に示すように、引き裂き予定線の両端を結ぶ直線線分から引き裂き予定線が最も離れた頂部と、前記直線線分との間の最短距離である。
【００６１】
一方のシート材の引き裂き予定領域における幅方向の長さ（Ｗ）は、図５に示すように、幅方向の両端に位置する引き裂き予定補助線の間の長さである。なお、該長さは、太さ（ｄ）を有する引き裂き予定補助線の中心線、即ち、引き裂き予定補助線の幅方向の中心を通る仮想中心線を基準としたものである。
【００６２】
一方のシート材の引き裂き予定領域における引き裂き予定線と引き裂き予定補助線との間隔（Ｉ）は、隣り合う引き裂き予定線又は引き裂き予定補助線の間隔である。なお、該間隔は、太さ（ｄ）を有する引き裂き予定線又は引き裂き予定補助線の幅方向の中心を通る仮想中心線を基準としたものである。
【００６３】
一方のシート材の引き裂き予定線は、長手方向の中心点から一端へ向かって延び切除部側へ凸状に曲がった円弧状の第１円弧部分（Ｒ１）と、第１円弧曲線部の端縁から延びシート本体側へ凸状に曲がった円弧状の第２円弧部分（Ｒ２）と、第２円弧部分の端縁から延び引き裂き予定線の長手方向端縁へ向かって延びた直線部分（Ｒ３）とを有する形状となっている。第１円弧部分（Ｒ１）と第２円弧部分（Ｒ２）との接点は、引き裂き予定線の変曲点になっている。
【００６４】
一方のシート材の引き裂き予定線における第１円弧部分（Ｒ１）の長手方向長さ（Ｌ１）は、図５に示すように、引き裂き予定線の両端を結ぶ直線線分の延在方向における第１円弧部分（Ｒ１）の長さである。
【００６５】
一方のシート材の引き裂き予定線における第２円弧部分（Ｒ２）の長手方向長さ（Ｌ２）は、図５に示すように、引き裂き予定線の両端を結ぶ直線線分の延在方向における第２円弧部分（Ｒ２）の長さである。
【００６６】
一方のシート材の引き裂き予定線における第１円弧部分（Ｒ１）の幅方向長さ（ｈ１）は、図５に示すように、引き裂き予定線の両端を結ぶ直線線分に垂直な方向における第１円弧部分（Ｒ１）の長さである。
【００６７】
一方のシート材の引き裂き予定線における第２円弧部分（Ｒ２）の幅方向長さ（ｈ２）は、図５に示すように、引き裂き予定線の両端を結ぶ直線線分に垂直な方向における第２円弧部分（Ｒ２）の長さである。
【００６８】
試験例１においては、Ｗ＝１．０ｍｍ、ｈ＝５．０ｍｍ、Ｉ＝０．３５ｍｍとした。また、第１円弧部分（Ｒ１）及び第２円弧部分（Ｒ２）の曲率半径を両方とも８１．２５ｍｍとした。また、引き裂き予定領域における引き裂き予定線及び引き裂き予定補助線の合計本数は、４本とした。
【００６９】
なお、後述するいずれの包装袋においても、引き裂き予定領域の形状は、以下の通りであった。
一方のシート材の引き裂き予定線の長手方向の長さ（Ｌ）は、１００ｍｍとした。第１円弧部分（Ｒ１）の長手方向長さ（Ｌ１）及び第２円弧部分（Ｒ２）の長手方向長さ（Ｌ２）は、Ｌ１＝Ｌ２＝２０ｍｍとした。上記の直線部分（Ｒ３）の長さ（Ｌ３）を１０ｍｍとした。第１円弧部分（Ｒ１）及び第２円弧部分（Ｒ２）の曲率半径の比は１とした。第１円弧部分（Ｒ１）及び第２円弧部分（Ｒ２）の長手方向長さの比（Ｌ１／Ｌ２）は、１とした。第１円弧部分（Ｒ１）及び第２円弧部分（Ｒ２）の幅方向長さの比（ｈ１／ｈ２）は、１とした。引き裂き予定線の太さ（ｄ）は、０．１８ｍｍとした。
【００７０】
また、いずれの包装袋においても、他方のシート材には、図１に示すように、直線状の引き裂き予定線を形成し、それに伴って直線状の引き裂き予定領域を形成した。他方のシート材の該引き裂き予定領域においては、それぞれ上記の一方のシート材における引き裂き予定領域と同じ幅方向の長さ（Ｗ）及び間隔（Ｉ）で引き裂き予定線及び引き裂き予定補助線を形成した。
【００７１】
（試験例２〜２１）
表１に示すように、引き裂き予定線の長手方向の長さ（Ｌ）に対する引き裂き予定線の突出高さ（ｈ）の比（ｈ／Ｌ）を変更した点、引き裂き予定領域の幅方向の長さ（Ｗ）を変更した点以外は、試験例１と同様にして包装袋を製造した。なお、引き裂き予定領域における引き裂き予定線及び引き裂き予定補助線の合計本数は、それぞれ４〜７本に設定した。また、各試験例における第１円弧部分（Ｒ１）及び第２円弧部分（Ｒ２）の曲率半径を表１に示す通りとした。
【００７２】
（試験例２２〜５６）
表２に示すように、引き裂き予定線及び引き裂き予定補助線における間隔（Ｉ）を変更した点、引き裂き予定領域の幅方向の長さ（Ｗ）を変更した点、引き裂き予定線の突出高さ（ｈ）を１０ｍｍとした点、包装袋をそれぞれ３個製造した以外は、試験例１と同様にして包装袋を製造した。なお、引き裂き予定領域における引き裂き予定線及び引き裂き予定補助線の合計本数は、それぞれ３〜７本に設定した。また、各試験例における第１円弧部分（Ｒ１）及び第２円弧部分（Ｒ２）の曲率半径は、いずれも４１．９ｍｍとした。
【００７３】
【表１】
2013071733.tif 000003
【００７４】
【表２】
2013071733.tif 000004
【００７５】
＜引き裂きによる評価＞
突出部が引き裂き後に形成され得るシート材を奥側（裏側）に配置し、重なり合った切除部を手前側（表側）に引っ張り、引き裂き予定領域において両シート材を切断し、包装袋を引き裂いた。そして、奥側（裏側）に配置したシート材のシート本体に突出部が形成され、且つ一端から他端まで引き裂き予定領域から外れずに引き裂きを行うことができた包装袋の数をカウントし、その確率を算出した。
結果を表１及び表２に示す。
【００７６】
（試験例５７〜７７）
シート材として下記の各フィルム等が積層されたものを用いた点、表３に示すようにｈ／Ｌ及びＷを変更した点以外は、試験例１と同様にして包装袋を製造した。なお、引き裂き予定領域における引き裂き予定線及び引き裂き予定補助線の合計本数は、それぞれ４〜７本に設定した。また、各試験例における第１円弧部分（Ｒ１）及び第２円弧部分（Ｒ２）の曲率半径を表３に示す通りとした。
二軸延伸ポリエチレンテレフタレートフィルム（ＰＥＴ）１６μｍ厚み
ドライラミネート（ＤＬ）
アルミニウム箔（ＡＬ）９μｍ厚み
ドライラミネート（ＤＬ）
無延伸ポリプロピレンフィルム（ＣＰＰ）４０μｍ厚み
なお、包装袋は、それぞれ１０又は１１個作製した。
上述のごとく引き裂きによる評価を行った結果を表３に示す。
【００７７】
【表３】
2013071733.tif 000005
【００７８】
（試験例７８〜９２）
シート材として下記の各フィルムが積層されたものを用いた点、表４に示すようにｈ／Ｌ及びＷを変更した点以外は、試験例１と同様にして包装袋を製造した。なお、引き裂き予定領域における引き裂き予定線及び引き裂き予定補助線の合計本数は、それぞれ４〜７本に設定した。また、各試験例における第１円弧部分（Ｒ１）及び第２円弧部分（Ｒ２）の曲率半径を表４に示す通りとした。
二軸延伸ポリエチレンテレフタレートフィルム（ＰＥＴ）１２μｍ厚み
ポリエチレンフィルム（ＰＥ）４０μｍ厚み
なお、包装袋はそれぞれ５個作製した。
上述のごとく引き裂きによる評価を行った結果を表４に示す。
【００７９】
【表４】
2013071733.tif 000006
【００８０】
（試験例９３〜１１３）
シート材として下記の各フィルムが積層されたものを用いた点、表５に示すようにｈ／Ｌ及びＷを変更した点、引き裂き予定領域において引き裂き予定線を１本のみ形成した点以外は、試験例１と同様にして包装袋を製造した。なお、各試験例における第１円弧部分（Ｒ１）及び第２円弧部分（Ｒ２）の曲率半径を表５に示す通りとした。また、包装袋は、それぞれ５個作製した。
二軸延伸ポリエチレンテレフタレートフィルム（ＰＥＴ）１２μｍ厚み
アルミニウム箔（ＡＬ）９μｍ厚み
二軸延伸ポリエチレンテレフタレートフィルム（ＰＥＴ）１２μｍ厚み
直鎖状低密度ポリエチレン（ＬＬＤＰＥ）４０μｍ厚み
上述のごとく引き裂きによる評価を行った結果を表５に示す。
【００８１】
【表５】
2013071733.tif 000007
【符号の説明】
【００８２】
１：シート材（１Ａ：一方のシート材、１Ｂ：他方のシート材）、
２：シート本体
（２Ａ：一方のシート材のシート本体、２Ａａ：突出部、
２Ｂ：他方のシート材のシート本体）、
３：引き裂き予定領域
（３Ａ：一方のシート材の引き裂き予定領域、
３Ｂ：他方のシート材の引き裂き予定領域）、
４：切除部
（４Ａ：一方のシート材の切除部、４Ｂ：他方のシート材の切除部）、
５：ヒートシール部、
６：切り込み（ノッチ）、
７：プラスチックファスナー、
１０：包装袋、
Ｘ：引き裂き予定線、
Ｙ：引き裂き予定補助線。
【図１】
2013071733.tif 000008
【図２】
2013071733.tif 000009
【図３】
2013071733.tif 000010
【図４】
2013071733.tif 000011
【図５】
2013071733.tif 000012